(57)【特許請求の範囲】
【請求項１】
乗客搬送用のステップ列の側方部に取付部材が設けられ、この取付部材に前記ステップ列の走行方向に沿って順次継ぎ連なるように複数のスカートガードパネルが取り付けられているマンコンベアにおいて、
各スカートガードパネルはその熱膨張による長手方向の伸びの変位が可能な状態で前記取付部材に取り付けられているとともに、各スカートガードパネルの継目部にその伸びの変位を許容する隙間が設けられていて、
スカートガードパネルは中間部がビスにより取付部材に固定され、その取付部材におけるスカートガードパネルの両端部に対応する部分には、スカートガードパネルの長手方向に沿って長い長孔が形成されているとともに取付部材の背部にねじ受けブロックが設けられ、スカートガードパネルの両端部から前記長孔を通して前記ねじ受けブロックにビスが螺挿され、前記ビスと一体的にスカートガードパネルの両端部が前記長孔に沿って変位移動可能となっていることを特徴とするマンコンベア。
【請求項２】
スカートガードパネルと取付部材との間、および取付部材とねじ受けブロックとの間には潤滑性樹脂材が設けられていることを特徴とする請求項１に記載のマンコンベア。
【請求項３】
潤滑性樹脂材は塗料の塗布膜からなることを特徴とする請求項２に記載のマンコンベア。
【発明の詳細な説明】
【０００１】
【発明の属する技術分野】
この発明は、エスカレータや動く歩道等の乗客搬送用のマンコンベアに関する。
【０００２】
【従来の技術】
乗客搬送用のマンコンベアとしての例えばエスカレータは、建屋にトラスが据え付けられ、このトラスに乗客搬送用のステップ列が組み込まれ、このステップ列の両側上部に欄干が設けられている。
【０００３】
ステップ列は多数のステップを無端状に連結してなり、このステップ列が建屋の下階から上階へ、あるいは上階から下階へ向って順次走行し、この走行するステップ列を介して乗客を下階から上階へ、あるいは上階から下階へ搬送するようになっている。
【０００４】
図８にはステップ列１の走行部分の側面図を、図９には図８中のＡ−Ａ線に沿う断面図をそれぞれ示してある。多数のステップ１ａを連結してなるステップ列１の側方部には、ステップ列１の走行方向に沿って継ぎ連ねられた複数の金属製のスカートガードパネル２が設けられている。
【０００５】
スカートガードパネル２は、図９に示すように取付部材としてのアングル３，４にビス５およびフック６を介して取り付けられ、ステップ列１の側面と隣接して配置するように支持されている。スカートガードパネル２とステップ列１との間の隙間Ｈは、ステップ列１に乗り込んだ乗客の足や衣服が挟み込まれることがないように、ごく小さな寸法に保たれている。
【０００６】
各スカートガードパネル２の長さ寸法Ｌは例えば２８４０ｍｍであり、互いに隣り合うスカートガードパネル２はその両端側の端縁同士が密着するように両端部を含む均等的な複数箇所がビス５でアングル３に固定されている。
【０００７】
【発明が解決しようとする課題】
ところで、屋外や屋外に面した場所に設置されたエスカレート等のマンコンベアにあっては、直射日光がスカートガードパネル２に当ってスカートガードパネル２の温度が大きく上昇する。また、マンコンベアが温度上昇の激しい環境に設置されているときにも、スカートガードパネル２の温度が大きく上昇する。
【０００８】
そしてこのような激しい温度上昇を伴うマンコンベアにあっては、その温度上昇で継ぎ合わされた各スカートガードパネル２が熱膨張して比較的大きな伸びが生じる。
【０００９】
例えば２８４０ｍｍの長さのスカートガードパネル２の材質がステンレス（ＳＵＳ３０４ＣＰ）で、このスカートパネル２が常温（２０℃）から温度が３０℃上昇して５０℃となったときの熱膨張による伸びは、ステンレスの熱膨張係数が１７．３×１０−６であるから、
伸び＝１７．３×１０−６×３０×２８４０≒１．５ｍｍ
となる。
【００１０】
そしてこのような伸びが生じたときには、その応力で、スカートガードパネル２がステップ列１の配置側に膨らみ出るように部分的に湾曲変形してステップ列１に接触し、このような接触でステップ列１の走行時に異音が発生したり、スカートガードパネル２の表面の塗装が剥がれたり傷付き等が生じてしまうという問題がある。
【００１１】
この発明はこのような点に着目してなされたもので、その目的とするところは、スカートガードパネルの熱膨張による湾曲変形を防止して異音の発生や塗装の剥がれ、傷付き等を防止することができるマンコンベアを提供することにある。
【００１２】
【課題を解決するための手段】
この発明はこのような目的を達成するために、乗客搬送用のステップ列の側方部に取付部材が設けられ、この取付部材に前記ステップ列の走行方向に沿って順次継ぎ連なるように複数のスカートガードパネルが取り付けられているマンコンベアにおいて、各スカートガードパネルはその熱膨張による長手方向の伸びの変位が可能な状態で前記取付部材に取り付けられているとともに、各スカートガードパネルの継目部にその伸びの変位を許容する隙間が設けられていて、スカートガードパネルは中間部がビスにより取付部材に固定され、その取付部材におけるスカートガードパネルの両端部に対応する部分には、スカートガードパネルの長手方向に沿って長い長孔が形成されているとともに取付部材の背部にねじ受けブロックが設けられ、スカートガードパネルの両端部から前記長孔を通して前記ねじ受けブロックにビスが螺挿され、前記ビスと一体的にスカートガードパネルの両端部が前記長孔に沿って変位移動可能となっていることを特徴としている。
【００１５】
請求項２の発明においては、スカートガードパネルと取付部材との間、および取付部材とねじ受けブロックとの間には潤滑性樹脂材が設けられていることを特徴としている。
【００１６】
請求項３の発明においては、前記潤滑性樹脂材が塗料の塗布膜からなることを特徴としている。
【００１７】
【発明の実施の形態】
以下、この発明の実施の形態について図１ないし図７を参照して説明する。
【００１８】
図１および図２には第１の実施形態を示してあり、ステップ列１の走行方向に沿って継ぎ合わされた各スカートガードパネル１２は、例えば材質がステンレス（ＳＵＳ３０４ＣＰ）で、それぞれその長さ寸法Ｌ１が従来の約１／４の７１０ｍｍとなっている。そして各スカートガードパネル１２はその長手方向の中間寄りの二個所がビス５により取付部材としてのアングル３に固定され、両端側が長手方向の伸びに関してフリーの状態となっている。また各スカートガードパネル１２の下部はフック６を介して取付部材としてのアングル４に長手方向に対する移動が可能な状態で係止されている。
【００１９】
各スカートガードパネル１２の継目部、すなわち互いに隣り合うスカートガードパネル１２の端縁間にはそれぞれ１ｍｍ程度の僅かな隙間Ｓが確保されている。
【００２０】
このような構成においては、スカートガードパネル１２が直射日光の照射等に伴う温度上昇で熱膨張して伸びが生じたときに、その伸び分が隙間Ｓにより吸収され、スカートガードパネル１２の湾曲変形が防止される。
【００２１】
すなわち、まず、各スカートガードパネル１２の長さの寸法が従来に比べて短く、したがってスカートガードパネル１２の伸びの量が少なくなる。
【００２２】
例えば、スカートガードパネル１２が常温（２０℃）から１００℃にまで上昇した場合を想定しても、その伸びは、
伸び＝１７．３×１０−６×８０×７１０≒１．０ｍｍ
となる。
【００２３】
そしてスカートガードパネル１２は、その中間寄りの部分がビス５でアングル３に固定されているだけで、両端側はフリーな解放状態にあり、またその両端側の継目部には１ｍｍの隙間Ｓが確保されており、このため温度上昇に伴いスカートガードパネル１２が熱膨張によりその両端側に伸びて変位したときのその伸び分が隙間Ｓで吸収され、したがってスカートガードパネル１２がステップ列１の配置側に膨らみ出るように湾曲変形するようなことがなく、スカートガードパネル１２とステップ列１との接触を防止することができる。
【００２４】
このため、ステップ列１の走行時に異音が生じたり、カートガードパネル１２の表面の塗装が剥がれたり傷が付くような不都合を防止することができる。
【００２５】
また一方、スカートガードパネル１２の長さが短寸で軽量であることから、エスカレータの施工現場へのスカートガードパネル１２の搬送や梱包、施工時の取り付け作業等の点で有利となる。
【００２６】
なお、通常温度の環境のもとでは、隣り合うスカートガードパネル１２の継目部には１ｍｍ程度の隙間Ｓが生じるが、その隙間Ｓが１ｍｍ程度のごく小さい幅であるから特に意匠上の問題が生じるようなことはない。
【００２７】
また、スカートガードパネル１２の下部の複数箇所はフック６によりアングル４に係止されているが、そのフック６はアングル４に対してスライド可能となっており、したがってスカートガードパネル１２の伸びの変位がそのフック６により規制されるようなことはない。
【００２８】
図３ないし図５には第２の実施形態を示してあり、この実施形態においては、第１の実施形態の場合と同様にスカートガードパネル１２の材質がステンレス（ＳＵＳ３０４ＣＰ）で、それぞれその長さが短寸の７１０ｍｍとなっている。そして各スカートガードパネル１２がその両端部を含む均等的な複数箇所でビス５によりアングル３に係止されているとともに、各スカートガードパネル１２の継目部にそれぞれ１ｍｍ程度の僅かな隙間Ｓが設けられている。
【００２９】
アングル３には、図４に明示するように、スカートガードパネル１２のビス孔１２ａに対応してその長手方向に長い長孔３ａが形成され、またアングル３の背部にはねじ受けブロック１３が設けられ、これらねじ受けブロック１３にビス５に対応するめねじ１３ａが形成されている。
【００３０】
そしてスカートガードパネル１２のビス孔１２ａからアングル３の長孔３ａを通してビス５がねじ受けブロック１３のめねじ１３ａに挿入され、このビス５の締め付けによりスカートガードパネル１２がアングル３に係止されている。
【００３１】
ビス５はスカートガードパネル１２の熱膨張による伸びの変位を規制しない程度の圧力で締め付けられており、またねじ受けブロック１３の下面がアングル３の水平壁部３ｂの上にスライド自在に接触している。
【００３２】
このような構成においては、スカートガードパネル１２が熱膨張して伸びが生じたときに、ビス５がアングル３の長孔３ａに沿って移動することによりその伸びが許容され、スカートガードパネル１２の湾曲変形が防止される。ビス５がアングル３の長孔３ａ内を移動するときにはそのビス５と一体的にねじ受けブロック１３がアングル３に対してスライド移動する。
【００３３】
さらにこの実施形態においては、スカートガードパネル１２はその両端部を含む均等的な複数箇所でビス５によりアングル３に係止されているから、アングル３に対するスカートガードパネル１２の取り付け状態が安定する。
【００３４】
図６には第３の実施形態を示してあり、この実施形態においては、前記第２の実施形態の場合と同様に、スカートガードパネル１２のビス孔１２ａからアングル３の長孔３ａを通してビス５がねじ受けブロック１３のめねじ１３ａに挿入され、このビス５の締め付けによりスカートガードパネル１２がアングル３に係止されている。
【００３５】
そして、スカートガードパネル１２とアングル３との間、およびアングル３とねじ受けブロック１３との間にそれぞれ潤滑性合成樹脂材からなる滑り板１４，１５が設けられ、これら滑り板１４，１５を挟んでスカートガードパネル１２およびねじ受けブロック１３がアングル３にそれぞれ接触している。
【００３６】
これら滑り板１４，１５はポリアミドやポリエステル等の摩擦係数の小さい合成樹脂からなり、一方の滑り板１３はスカートガードパネル１２の裏面に貼り付けられ、他方の滑り板１４はねじ受けブロック１３の表面に貼り付けられている。
【００３７】
このような構成においては、スカートガードパネル１２が熱膨張によりビス５およびねじ受けブロック１３と一体的にアングル３の長孔３ａに沿って移動するときに、そのスカートガードパネル１２およびねじ受けブロック１３のアングル３に対する摩擦が滑り板１４，１５により軽減され、したがってスカートガードパネル１２を円滑に移動させてその伸び分を的確にその両端側の隙間Ｓ内に逃がすことができる。
【００３８】
なお、滑り板１４，１５はアングル３に貼り付けるようにしてもよい。また滑り板１４，１５に替えて、例えば主剤にモリブデン等を添加した潤滑性の高い塗料を塗布してその塗布膜を潤滑性合成樹脂材とする場合であっても同様の効果が得られる。
【００３９】
図７には第４の実施形態を示してあり、この実施形態においては、スカートガードパネル１２の中間部がビス５によりアングル３に固定されている。そしてスカートガードパネル１２の両端部に挿入されたビス５はアングル３に形成された長孔３ａを通してそのアングル３の背面側のねじ受けブロック１３に螺合され、これによりスカートガードパネル１２は中間部が固定、両端部がその長手方向に移動可能な状態となっている。
【００４０】
この場合には、スカートガードパネル２が熱膨張したときにその伸びの量が両端側で均等となり、このためスカートガードパネル１２の熱膨張に応じて変化する各継目部ごとの隙間の間隔を一定に保つことができ、これにより外観を良好に保持することができる。
【００４１】
なお、この発明は、エスカレータに適用する場合に限らず、動く歩道等のマンコンベアにおいても同様に適用することが可能である。
【００４２】
【発明の効果】
以上述べたようにこの発明によれば、スカートガードパネルが直射日光の照射等に伴う温度上昇で熱膨張して伸びが生じたときに、その伸び分をスカートガードパネルの両端側の隙間に逃がしてスカートガードパネルの湾曲変形を防止することができ、したがってスカートガードパネルとステップ列との接触による異音の発生や、カートガードパネルの表面の塗装の剥がれや傷付き等を防止することができる。
【図面の簡単な説明】
【図１】この発明の第１の実施形態を示す側面図。
【図２】第１の実施形態における要部の構造を拡大して示す側面図。
【図３】この発明の第２の実施形態を示す側面図。
【図４】第２の実施形態における要部の分解斜視図。
【図５】第２の実施形態における要部の断面図。
【図６】この発明の第３の実施形態を示す断面図。
【図７】この発明の第４の実施形態を示す側面図。
【図８】従来の構成を示す側面図。
【図９】図８中のＡ−Ａ線に沿う断面図。
【符号の説明】
１…ステップ列
１ａ…ステップ
３，４…アングル
５…ビス
１２…スカートガードパネル
１３…ねじ受けブロック
１４，１５…滑り板
【図１】
0004628572.tif 000002
【図２】
0004628572.tif 000003
【図３】
0004628572.tif 000004
【図４】
0004628572.tif 000005
【図５】
0004628572.tif 000006
【図６】
0004628572.tif 000007
【図７】
0004628572.tif 000008
【図８】
0004628572.tif 000009
【図９】
0004628572.tif 000010